(57)【要約】【課題】外科的処置の間における外科用器具からの障害物の洗浄に関するデバイスおよび方法を提供すること。【解決手段】医療デバイスが第１の弁と第２の弁とを備える。第１の弁は、第１の開口、第２の開口、および第３の開口を有する多岐管と、多岐管の内部で移動可能であり、第１の開口を閉じるようにバネ付勢される要素と、を備える。第１の開口を閉じるように付勢されるとき、空気が第２の開口から第３の開口へと流れる。第２の弁は、要素を移動させて第３の開口を閉じるための第１の弁への加圧ガスの流れを提供するように構成される。第１の弁および第２の弁は、要素を移動させて第３の開口を閉じると、第２の開口から第３の開口への空気の流れを遮断するように、および加圧ガスの流れを第２の開口から出させるように構成される。【選択図】図１
2020116386.tif 000002
【特許請求の範囲】
【請求項１】
第１の開口、第２の開口、および第３の開口を有する多岐管、ならびに、
前記多岐管の内部で移動可能であり、前記第１の開口を閉じるようにバネ付勢される要素であって、前記第１の開口を閉じるように付勢されるとき、空気が前記第２の開口から前記第３の開口へと流れる、要素、
を備える第１の弁と、
前記第１の弁へ加圧ガスの流れを提供して、前記要素を移動させて前記第３の開口を閉じるように構成される第２の弁と
を備え、
前記第１の弁および前記第２の弁は、前記要素を移動させて前記第３の開口を閉じると、前記第２の開口から前記第３の開口への空気の流れを遮断するように、および前記加圧ガスの流れを前記第２の開口から出させるように構成される、医療デバイス。
【請求項２】
前記第２の開口から前記第３の開口への空気の流れは、前記第３の開口における吸引によって引き起こされる、外科用デバイスの切断組立体からの空気の流れである、請求項１に記載の医療デバイス。
【請求項３】
前記要素を移動させて前記第３の開口を閉じるための前記第１の弁への加圧ガスの前記流れは、前記外科用デバイスの前記切断組立体へとさらに方向付けられて、前記外科用デバイス内の障害物を一掃する、請求項２に記載の医療デバイス。
【請求項４】
前記第１の弁への加圧ガスの前記流れはＣＯ２カートリッジからである、請求項１に記載の医療デバイス。
【請求項５】
前記多岐管の内部を移動可能である前記要素は、孔の内部をスライド可能なスプールである、請求項１に記載の医療デバイス。
【請求項６】
前記スプールは、前記スプールの進行の方向に対して横断する少なくとも１つのＯリングを含む、請求項５に記載の医療デバイス。
【請求項７】
前記第１の弁への加圧ガスの前記流れは１平方インチ当たり少なくとも１００ポンド（少なくとも０．６８９メガパスカル）である、請求項６に記載の医療デバイス。
【請求項８】
前記多岐管の内部を移動可能である前記要素はフラッパである、請求項１に記載の医療デバイス。
【請求項９】
第１の方向における空気の第１の流れを許容し、第２の方向におけるガスの第２の流れを選択的に許容するように構成される第１の弁と、
前記第１の弁に動作可能に接続され、前記第２の方向におけるガスの前記第２の流れを提供するように構成される第２の弁を備えるコンソールと、
前記第１の弁に動作可能に接続され、空気の前記第１の流れが受け入れられる切断組立体を有する外科用器具であって、前記第２の方向におけるガスの前記第２の流れを受け入れるように構成される外科用器具と、
を備え、
前記第１の弁および前記第２の弁は、前記第２の方向におけるガスの前記第２の流れを許容して、前記外科用器具の動作の間に前記外科用器具の前記切断組立体からの障害物を洗浄するように構成される、医療システム。
【請求項１０】
前記第１の方向における空気の前記第１の流れは、前記第１の弁に加えられる吸引からである、請求項９に記載の医療システム。
【請求項１１】
前記第１の弁は、孔内をスライド可能であるスプールを備え、前記スプールが第１の位置にあるとき、空気の前記第１の流れが許容され、前記スプールが第２の位置へと移動させられたとき、ガスの前記第２の流れが許容される、請求項９に記載の医療システム。
【請求項１２】
前記スプールは、前記孔を定める壁に封止され、少なくとも１つのＯリングを用いて前記孔内をスライド可能である、請求項１１に記載の医療システム。
【請求項１３】
前記第2の方向におけるガスの前記第2の流れは、加圧ガスの供給源からである、請求項12に記載の医療システム。
【請求項１４】
加圧ガスの前記供給源はＣＯ２カートリッジである、請求項１３に記載の医療システム。
【請求項１５】
加圧ガスの前記供給源は１平方インチ当たり少なくとも１００ポンド（少なくとも０．６８９メガパスカル）である、請求項１３に記載の医療システム。
【請求項１６】
前記第１の弁は、孔内を移動可能であるフラッパを備え、前記フラッパが第１の位置にあるとき、空気の前記第１の流れが許容され、前記フラッパが第２の位置へと移動させられたとき、ガスの前記第２の流れが許容される、請求項９に記載の医療システム。
【請求項１７】
外科用器具からの障害物を洗浄する方法であって、
切断組立体を有する前記外科用器具を提供するステップと、
第1の構成と第2の構成との間で切り替え可能であるように構成される多岐管弁を提供するステップと、
前記多岐管弁に連結されるソレノイド弁を提供するステップと、
前記ソレノイド弁に連結され、前記ソレノイド弁を通じて前記多岐管弁へと流れるように構成される加圧ガスの供給源を提供するステップと、
前記多岐管弁および前記ソレノイド弁を作動させ、前記多岐管弁を通じた流れを引き起こして、前記外科用器具の前記切断組立体からの障害物を洗浄するステップと、
を含む方法。
【請求項１８】
前記多岐管弁を作動させる前記ステップは、前記加圧ガスを適用して、前記多岐管弁を、空気が吸引によって第１の方向において前記切断組立体から流れる第１の構成から、前記加圧ガスが前記第１の方向と反対の第２の方向において前記切断組立体へと流れる第２の構成へと切り替えて、前記障害物を洗浄することを含む、請求項１７に記載の方法。
【請求項１９】
加圧ガスの前記供給源はＣＯ２カートリッジである、請求項１７に記載の方法。
【請求項２０】
前記加圧ガスは１平方インチ当たり少なくとも約１００ポンド（少なくとも０．６８９メガパスカル）である、請求項１７に記載の方法。
【発明の詳細な説明】
【技術分野】
【０００１】
本明細書に記載されている例示の非限定的な実施形態は、概して、外科的処置の間における外科用器具からの障害物の洗浄に関するデバイスおよび方法に関する。本明細書に記載されている例示の非限定的な実施形態は、より詳細には、組織創傷清拭器具の使用の間、吸引回路の洗浄を容易にする加圧ガスで動作させられる弁に関する。
【背景技術】
【０００２】
創傷清拭は、外傷の治癒を促進するために、外傷からの損傷した組織の制御された外科的な除去を伴う。現在使用されている創傷清拭技術の種類には、鋭利な創傷清拭、自己分解の創傷清拭、化学的な創傷清拭、機械的な創傷清拭、および生物学的な創傷清拭がある。鋭利な創傷清拭の技術は、壊死、感染、または他の損傷した組織を健康な組織から離すように切断するために、外科医によって使用される「デブリッダ」と以後において称される鋭利なデバイスを用いる。これらのデブリッダは、キュレットまたは外科用メスなどの単純な刃とされた器具であり得る。より複雑なデブリッダは、創傷清拭の処置の間に創傷清拭した組織を外傷から離すように運ぶように、外傷の潅注および/または吸引に向けて流体を供給するために、刃および関連する回路にポートを含み得る。
【０００３】
吸引が備え付けられたデブリッダは、典型的には、大量の組織が引き込まれるとき、創傷清拭した組織で詰まってしまう。旧いデブリッダは、詰まりを洗浄するためにスタイレットの使用をしばしば必要としていた。最新のデブリッダは、刃を通じて詰まりを戻して一掃するために、加圧球を絞ることによって動作するインラインバルブを概して含む。これらのインライン機構は、「詰まり除去装置」として概して知られている。
【発明の概要】
【発明が解決しようとする課題】
【０００４】
本発明は、外科的処置の間における外科用器具からの障害物の洗浄に関するデバイスおよび方法を提供することを目的とする。
【課題を解決するための手段】
【０００５】
一態様によれば、医療デバイスが第１の弁と第２の弁とを備える。第１の弁は、第１の開口、第２の開口、および第３の開口を有する多岐管と、多岐管の内部で移動可能であり、第１の開口を閉じるようにバネ付勢される要素とを備える。第１の開口を閉じるように付勢されるとき、空気が第２の開口から第３の開口へと流れる。第２の弁は、要素を移動させて第３の開口を閉じるための第１の弁への加圧ガスの流れを提供するように構成される。第１の弁および第２の弁は、要素を移動させて第３の開口を閉じると、第２の開口から第３の開口への空気の流れを遮断するように、および、加圧ガスの流れを第２の開口から出させるように構成される。
【０００６】
別の態様によれば、医療システムは、第１の方向における空気の第１の流れを許容し、第２の方向におけるガスの第２の流れを選択的に許容するように構成される第１の弁と、第１の弁に動作可能に接続され、第２の方向におけるガスの第２の流れを提供するように構成される第２の弁を備えるコンソールと、第１の弁に動作可能に接続され、空気の第１の流れが受け入れられる切断組立体を有する外科用器具であって、第２の方向におけるガスの第２の流れを受け入れるように構成される外科用器具と、を備える。第１の弁および第２の弁は、外科用器具の動作の間に外科用器具の切断組立体からの障害物を洗浄するために、第２の方向におけるガスの第２の流れを許容するように構成される。
【０００７】
別の態様によれば、医療システムが、第１の接続ポート、第２の接続ポート、および第３の接続ポートを有する第１の弁であって、第２の接続ポートおよび第３の接続ポートは、吸引によって第１の方向における空気の流れを許容するように構成される、第１の弁と、第１の接続ポートに動作可能に接続される第２の弁、第２の弁に接続される圧力調整装置、および圧力調整装置に接続されるガス供給源を有するコンソールであって、第１の方向と反対である第２の方向において、ガス供給源から第１の接続ポートを通じて第２の接続ポートへとガスの流れを許容するように構成されるコンソールと、第２の接続ポートに動作可能に接続され、吸引による空気の第１の流れが受け入れられる切断組立体を有する外科用器具であって、ガス供給源から第２の接続ポートを通じたガスの流れを受け入れるように構成される外科用器具と、を備える。第１の弁および第２の弁は、外科用器具の動作の間に外科用器具の切断組立体からの障害物を洗浄するために、第２の接続ポートを通じたガスの流れを許容するように構成される。
【０００８】
別の態様によれば、外科用器具からの障害物を洗浄する方法が、切断組立体を有する外科用器具を提供するステップと、第１の構成と第２の構成との間で切り替え可能であるように構成される多岐管弁を提供するステップと、多岐管弁に連結されるソレノイド弁を提供するステップと、ソレノイド弁に連結され、ソレノイド弁を通じて多岐管弁へと流れるように構成される加圧ガスの供給源を提供するステップと、外科用器具の切断組立体からの障害物を洗浄するために、多岐管弁を通じた流れを引き起こすために多岐管弁およびソレノイド弁を作動させるステップと、を含む。
【０００９】
本発明の前述の態様および他の特徴は、添付の図面と関連して、以下の記載において説明されている。
【図面の簡単な説明】
【００１０】
【図１】手で動作させられる加圧球によって作動可能な詰まり除去弁の断面図である。
【図２】手で動作させられる加圧球が圧縮されている図１の詰まり除去弁の断面図である。
【図３】Ｏリングの不均一な圧縮および伸びを示す図１の詰まり除去弁のスプールの側面図である。
【図４】デブリッダとパイロット動作させられる詰まり除去弁とコンソールとを組み込んでいるシステムの概略図である。
【図５Ａ】加圧ガスによって作動可能な詰まり除去弁の１つの例示の実施形態の断面図である。
【図５Ｂ】加圧ガスによって作動可能な詰まり除去弁の１つの例示の実施形態の断面図である。
【図６】図４の提案されたシステムの斜視での部分的な切断図である。
【図７Ａ】詰まり除去弁の別の例示の実施形態の側方からの断面図である。
【図７Ｂ】スプールの代わりにバタフライ弁を使用する図７Ａの詰まり除去弁の正面からの断面図である。
【発明を実施するための形態】
【００１１】
図１および図２を参照すると、吸引が備え付けられたデブリッダのための現在の詰まり除去装置１００の製品版は、加圧球１２０によって動作させられる三方二位置弁１１０から概して成る。図１に示されているように、加圧球１２０が動作させられていないとき、吸引は吸引回路１３０を通じてデブリッダに加えられる。図２に示されているように、加圧球１２０を外科医などの使用者により手で絞ることで動作させると、スプール１４０を「既定」位置から推移させて吸引回路１３０を閉じ、空気圧を加圧球１２０からデブリッダへと方向付けて詰まりをデブリッダの刃における窓を通じて外へ一掃することで、詰まり除去の機能を作動させる。空気圧が解放されると、スプール１４０は、圧縮バネ１５０によって既定位置へと戻される。このような構成は、デブリッダまたはデブリッダから延びる吸引回路における組織の詰まりを除去するように機能する。それによって、デブリッダは、使用の間に一掃または「詰まり除去」される。
【００１２】
現在のスプール式の設計は、スプール１４０の周囲に位置した斜めのＯリング１６０を概して用いている。スプール１４０の移動は、封止に関してＯリング１６０の不均一な圧縮を引き起こす可能性があり、これは、封止を助けるために、より高度な公差要件と、過剰な潤滑剤（グリスなど）の使用と、をもたらす可能性がある。
【００１３】
図３を参照すると、Ｏリング１６０の不均一な圧縮が符号３００で示されている。スプール１４０を利用する詰まり除去装置１００の動的な適用において、Ｏリング１６０は、好ましくはそれらの直径において５％を超えて伸ばされることはない。図示されているように、斜め方向の設計は、スプール１４０の有効な周囲がＯリング１６０より大きいため、各々のＯリングをその直径において１１％を超えて伸ばす。これは、Ｏリング１６０の断面積における低減をもたらし、さらにＯリング１６０を楕円の形へと変形させ、これは、Ｏリング１６０が筐体孔に沿って見られるとき、不均一な断面をもたらす。さらに、動的な適用において、Ｏリング１６０は少なくとも１０〜１５％圧縮されるはずである。図示されているように、各々のＯリング１６０は最大で３％圧縮される。さらに、本明細書で記載されている実施形態では、Ｏリング１６０は、Ｏリング１６０が位置決めされるスプール１４０における溝によって形成されたグランド１６２と、効果的に封止するためにスプール１４０が並進する孔の壁の内径とに押し当たるために、例えば１平方インチ当たり（ｐｓｉ）約１００ポンドから約３０００ｐｓｉまでのより高い圧力の下で、最も良好に作用する。加圧球１２０を利用する現在の適用は、約２５ｐｓｉにおいて動作でき、吸引のため負の圧力を被る可能性があり、これは、封止を提供する能力をはるかにより非効果的にさせてしまう。Ｏリング１６０が不均一に圧縮されるとき、大きな絞る力がスプール１４０を作動させるために加圧球１２０において必要とされる可能性があり、弁が作動させることなく長い時間の期間にわたって動作されない場合、詰まり除去装置１００は、Ｏリング１６０を最初にシールから動的に「引き剥がす」ためだけに、はるかにより大きな絞る圧力を必要とする可能性がある。この現象は、静止した表面が運動させられるのを防止しようとする摩擦である「静止摩擦」として知られている。
【００１４】
１つの提案される解決策は、加圧球１２０自体を排除することによって、加圧球１２０を絞る手の動作を排除できる。図４を参照すると、システム４００の１つの例示の実施形態が示されており、システム４００は、窓を伴う刃４１５を有するデブリッダ４１０と、三方／二位置の詰まり除去弁４２０と、制御コンソール４２５と、を有する。システム４００は、デブリッダ４１０（または、他の外科用器具）から障害物（創傷清拭した組織など）を洗浄する方法と併せて使用され得る。詰まり除去弁４２０は、パイロット動作させられ得、例えば遠隔から空気圧で作動させられ得る。
【００１５】
システム４００では、制御コンソール４２５は、加圧ガスを有するカートリッジ４３０と、圧力調整装置４３５と、ソレノイド動作させられる三方／二位置弁４４０（以後において、「ソレノイド弁４４０」）と、を備える。カートリッジ４３０は、ガスのより一貫した適用を詰まり除去処置に提供するために、あらかじめ決定された圧力設定において動作させられる圧力調整装置４３５によって調整される医療グレードのＣＯ２（または、窒素、亜酸化窒素、もしくは空気などの別のガス）を提供する。使い捨てであり得るカートリッジ４３０は、任意の適切な手段（ネジなど）によってコンソール４２５に設置され、カートリッジ圧力が最小レベル未満に低下したときはいつでも交換される。圧力調整装置４３５およびソレノイド弁４４０は、一体デバイスの一部としてコンソール４２５の内部に固定的に位置させられている。詰まり除去弁４２０およびコンソール４２５への詰まり除去回路４８０の接続は、押込みコネクタなどを用いて行われてもよい。デブリッダ４１０は、同じく押込みコネクタを用いて、デバイス回路４７５を通じて詰まり除去弁４２０に接続され得る。
【００１６】
カートリッジからＣＯ２を使用することで、使用者に動作させられる詰まり除去機能が詰まり除去弁４２０によって実行され、詰まり除去弁４２０は、既存の詰まり除去装置を用いるシステムと同様の吸引キャニスタ４５０およびポンプ４５５において途切れる吸引回路４４５に連結されている。システム４００では、しかしながら、加圧球が排除されているため、システム４００の重量がより小さくなる。
【００１７】
システム４００を用いて障害物を洗浄する（詰まり除去する）方法では、ソレノイド弁４４０は、手持ち品に位置した押しボタンスイッチによって、または、デブリッダ４１０と関連付けられ、使用者によって望まれるように動作させられるフットスイッチにおいて、有線または無線のいずれかによって電気信号を受信する。そのため、カートリッジ４３０からの加圧したＣＯ２ガスの脈動は、ソレノイド弁４４０によって計量され、詰まり除去弁４２０へと送達される。デブリッダ４１０、詰まり除去弁４２０、およびソレノイド弁４４０のいずれかまたは全部が、処理装置および記憶装置を有する制御装置と関連付けられてもよく、記憶装置はソフトウェアを含む。ソレノイド弁４４０および詰まり除去弁４２０の動作は、制御装置を用いて制御され得る。ソレノイド弁４４０は、使用者が制御装置を使用してソレノイド弁４４０の制御をしないように望む場合、手動のオーバーライドを有し得る。
【００１８】
図５Ａおよび図５Ｂを参照すると、１つの例示の実施形態において、詰まり除去弁４２０は、Ｏリングが斜めになっていることを補償するために、先の設計に対して向上させられ得る。詰まり除去弁４２０は、実質的に円筒形の構造を有する筐体５０５を備える。詰まり除去弁４２０では、Ｏリング５００は、筐体５０５において長さ方向に形成され、多岐管を形成する孔５１５内に、並進するように構成されたスプール５１０に位置決めされており、スプール５１０は、Ｏリング５００の変形を回避しようとする目的でＯリング５００がスプール５１０の進行の方向に対して実質的に横断する状態で、孔５１５においてバネ５２０などを介して一端から付勢される。また、ソレノイド弁を作動させる加圧球の代わりに、詰まり除去弁４２０は、筐体５０５の一端において、加圧されたＣＯ２ガスを受け入れるために、ソレノイド弁４４０からの詰まり除去回路４８０に連結されている。ソレノイド弁４４０の開閉に関する適切な圧力およびタイミングが、デブリッダ４１０が遭遇する最も困難な詰まりを詰まり除去機能が一掃することを確実にするために、最適な効率設定を決定するために使用され得る。
【００１９】
図５Ａに示されているように、スプール５１０は、それを通じて延びる交差孔５３０を備え、交差孔５３０は、バネ５２０が吸引を開けるためにスプール５１０を付勢すると（スプール５１０は「既定」位置にある）、筐体５０５の一方の側面に連結された吸引回路４４５と、筐体５０５の反対の側面に連結された詰まり除去弁４２０からのデバイス回路４７５と、がずらされるように、スプール５１０を横切って延び、スプール５１０の側面に対して斜めにされている。
【００２０】
図５Ｂに示されているように、ソレノイド弁４４０が加圧されたＣＯ２をカートリッジ４３０から解放するように作動させられると、スプール５１０は孔５１５を通じて並進させられ、バネ５２０は圧縮される。そのようにするとき、スプール５１０は、詰まりを一掃するためにＣＯ２がデバイス回路４７５を通じてデブリッダ４１０へと流れることができるように、吸引回路４４５を閉じ、デブリッダ４１０へと延びるデバイス回路４７５の開口を越えて十分な距離で延びる。ソレノイド弁４４０から筐体５０５の端までの詰まり除去回路４８０の連結と、筐体５０５の側面への吸引回路４４５の連結と、筐体５０５の反対の側面へのデバイス回路４７５の連結と、は詰まり除去弁４２０の「三方」の局面を定めるために３つの開口を提供し、スプール５１０の「規定」位置と延ばされた位置とは、詰まり除去弁４２０の「二位置」の局面を定める。空気圧の昇圧器または増幅器が、スプール５１０を並進させるために詰まり除去弁４２０へと組み込まれてもよい。
【００２１】
図６を参照すると、デブリッダ４１０、詰まり除去弁４２０、およびコンソール４２５の相対位置を示すシステム４００の１つの例示の構成が描写されている。見て分かるように、デブリッダ４１０は、詰まり除去弁４２０を動作させるように構成されたスイッチ６１０が搭載されている取っ手６００を備える。詰まり除去弁４２０は、コンソール４２５に動作可能に連結されたフットスイッチ６２０を介して動作させられてもよい、または、代替で動作させられてもよい。詰まり除去弁４２０の前方端が、デブリッダ４１０から延びる柔軟であり得るデバイス回路４７５の端に位置している。詰まり除去弁４２０の後方端が、吸引回路４４５に連結されており、詰まり除去回路４８０を介してコンソール４２５におけるソレノイド弁４４０にも連結されている。潅注回路６３０が、吸引回路４４５および詰まり除去回路４８０に沿って、詰まり除去弁４２０を迂回し、デブリッダ４１０へと延びる潅注供給源６４０から延び得る。蠕動ポンプ６５０が、潅注流体（生理食塩水など）をデブリッダ４１０へと汲み上げるために、潅注回路６３０に位置させられ得る。動力回路６６０もデブリッダ４１０へと延び得る。カートリッジ４３０は、逆止弁６７０を通じてコンソール４２５において圧力調整装置４３５に連結され得る。
【００２２】
ここで図７Ａおよび図７Ｂを参照すると、詰まり除去弁の別の例示の実施形態が概して符号７００で示されている。詰まり除去弁７００は、デバイス回路４７５に取り付け可能である前方端における開口と、後方端における２つの開口と、を伴う、内部を通って延びるＹ字形の孔７２０によって定められた多岐管を有する本体７１０を備え、後方端における一方の開口は吸引回路４４５に取り付け可能であり、後方端における他方の開口は詰まり除去回路４８０に取り付け可能である。詰まり除去回路４８０は、カートリッジ（ＣＯ２供給源など）およびソレノイド弁を有するコンソールに連結される。バネ荷重を掛けられたフラッパ弁７５０が、本体７１０において、後方端における２つの開口の間に位置決めされている。バネ荷重を掛けられたフラッパ弁７５０は、詰まり除去回路４８０に連結される後方端において開口を閉じるように付勢されており、したがって、デバイス回路４７５において吸引を維持させる。
【００２３】
使用者は、コンソールにおけるソレノイド弁を起動することで、詰まりを一掃するために詰まり除去弁７００を動作させ、これは、カートリッジからのガスの流れを引き起こし、詰まり除去回路４８０を加圧し、バネ荷重の掛けられたフラッパ弁７５０を開け、フラッパ弁７５０を孔７２０内の壁へ追い立て、それによって吸引回路４４５を閉じる。ソレノイド弁を起動する機構を解放すると、カートリッジからのガスの流れは停止させられ、詰まり除去回路４８０は減圧され、バネ荷重の掛けられたフラッパ弁７５０はその付勢された位置へと戻ることが許容され、詰まり除去回路４８０に連結された後方端において開口を閉じる。
【００２４】
以下において、様々な非限定的な例示の実施形態のさらなる記載が提供されている。以下に記載された例示の実施形態は、１つ以上の他の態様または例示の実施形態と併せて実施され得る。つまり、以下に記載されているものなど、本発明の例示の実施形態は、任意の組み合わせ（例えば、適切、実施可能、および／または実現可能である任意の組み合わせ）で実施、実行、または利用でき、本明細書に記載された組み合わせ、および／または、添付の特許請求の範囲に含まれる組み合わせのものだけに限定されない。
【００２５】
１つの例示の実施形態によれば、医療デバイスが第１の弁と第２の弁とを備える。第１の弁は、第１の開口、第２の開口、および第３の開口を有する多岐管と、多岐管の内部で移動可能であり、第１の開口を閉じるようにバネ付勢される要素と、を備える。第１の開口を閉じるように付勢されるとき、空気が第２の開口から第３の開口へと流れる。第２の弁は、要素を移動させて第３の開口を閉じるための第１の弁への加圧ガスの流れを提供するように構成される。第１の弁および第２の弁は、要素を移動させて第３の開口を閉じると、第２の開口から第３の開口への空気の流れを遮断するように、および加圧ガスの流れを第２の開口から出させるように構成される。
【００２６】
第２の開口から第３の開口への空気の流れは、第３の開口において吸引によって引き起こされる外科用デバイスの切断組立体からの空気の流れであり得る。要素を移動させて第３の開口を閉じるための第１の弁への加圧ガスの流れは、外科用デバイスにおける障害物を一掃するために、外科用デバイスの切断組立体へとさらに方向付けられ得る。第１の弁への加圧ガスの流れはＣＯ２カートリッジからであり得る。一部の実施形態では、多岐管の内部で移動可能である要素は、孔の内部でスライド可能なスプールであり得る。スプールは、スプールの進行の方向に対して横断する少なくとも１つのＯリングを含み得る。第１の弁への加圧ガスの流れは１平方インチ当たり少なくとも１００ポンドであり得る。他の実施形態では、多岐管の内部で移動可能である要素はフラッパであり得る。
【００２７】
別の例示の実施形態では、医療システムは、第1の方向における空気の第1の流れを許容し、第2の方向におけるガスの第2の流れを選択的に許容するように構成される第1の弁と、第1の弁に動作可能に接続され、第2の方向におけるガスの第2の流れを提供するように構成される第2の弁を備えるコンソールと、第1の弁に動作可能に接続され、空気の第1の流れが受け入れられる切断組立体を有する外科用器具であって、第2の方向におけるガスの第2の流れを受け入れるように構成される外科用器具と、を備える。第1の弁および第2の弁は、外科用器具の動作の間に外科用器具の切断組立体からの障害物を洗浄するために、第2の方向におけるガスの第2の流れを許容するように構成される。
【００２８】
第１の方向における空気の第１の流れは、第１の弁に加えられる吸引からであり得る。一部の実施形態では、第１の弁は、孔内をスライド可能であるスプールを備えてもよく、スプールが第１の位置にあるとき、空気の第１の流れが許容され、スプールが第２の位置へと移動させられるとき、ガスの第２の流れが許容される。スプールは、孔を定める壁に封止されてもよく、少なくとも１つのＯリングを用いて孔においてスライド可能であり得る。第２の方向におけるガスの第２の流れは、加圧ガスの供給源からであり得る。加圧ガスの供給源はＣＯ２カートリッジであり得る。加圧ガスの供給源は１平方インチ当たり少なくとも１００ポンドであり得る。他の実施形態では、第１の弁は、孔において移動可能であるフラッパを備えてもよく、フラッパが第１の位置にあるとき、空気の第１の流れが許容され、フラッパが第２の位置へと移動させられるとき、ガスの第２の流れが許容される。
【００２９】
別の例示の実施形態では、医療システムが、第１の接続ポート、第２の接続ポート、および第３の接続ポートを有する第１の弁であって、第２の接続ポートおよび第３の接続ポートは、吸引によって第１の方向における空気の流れを許容するように構成される、第１の弁と、第１の接続ポートに動作可能に接続される第２の弁、第２の弁に接続される圧力調整装置、および圧力調整装置に接続されるガス供給源を有するコンソールであって、第１の方向と反対である第２の方向において、ガス供給源から第１の接続ポートを通じて第２の接続ポートへとガスの流れを許容するように構成されるコンソールと、第２の接続ポートに動作可能に接続され、吸引による空気の第１の流れが受け入れられる切断組立体を有する外科用器具であって、ガス供給源から第２の接続ポートを通じたガスの流れを受け入れるように構成される外科用器具と、を備える。第１の弁および第２の弁は、外科用器具の動作の間に外科用器具の切断組立体からの障害物を洗浄するために、第２の接続ポートを通じたガスの流れを許容するように構成される。
【００３０】
一部の実施形態では、第１の弁は、孔内をスライド可能であるスプールを備えてもよく、スプールが第１の位置にあるとき、第１の方向における吸引による空気の流れが許容され、スプールが第２の位置へと移動させられるとき、第２の方向におけるガス供給源から第２の接続ポートへのガスの流れが許容される。スプールは、孔を定める壁に封止されてもよく、少なくとも１つのＯリングを用いて孔内をスライド可能であり得る。ガス供給源は１平方インチ当たり少なくとも１００ポンドの加圧ガスであり得る。ガス供給源は加圧されたＣＯ２であり得る。他の実施形態では、第１の弁は、孔内を移動可能であるフラッパを備えてもよく、フラッパが第１の位置にあるとき、吸引による第１の方向における空気の流れが許容され、フラッパが第２の位置へと移動させられるとき、第２の方向における第２の接続ポートへのガスの流れが許容される。
【００３１】
別の例示の実施形態によれば、外科用器具からの障害物を洗浄する方法は、切断組立体を有する外科用器具を提供するステップと、第１の構成と第２の構成との間で切り替え可能であるように構成される多岐管弁を提供するステップと、多岐管弁に連結されるソレノイド弁を提供するステップと、ソレノイド弁に連結され、ソレノイド弁を通じて多岐管弁へと流れるように構成される加圧ガスの供給源を提供するステップと、外科用器具の切断組立体からの障害物を洗浄するために、多岐管弁を通じた流れを引き起こすために多岐管弁およびソレノイド弁を作動させるステップと、を含む。
【００３２】
多岐管弁を作動させるステップは、多岐管弁を、空気が吸引によって第１の方向において切断組立体から流れる第１の構成から、障害物を洗浄するために、加圧ガスが第１の方向と反対の第２の方向において切断組立体へと流れる第２の構成へと切り替えるために、加圧ガスを適用することを含み得る。加圧ガスの供給源はＣＯ２カートリッジであり得る。加圧ガスは１平方インチ当たり少なくとも約１００ポンドであり得る。
【００３３】
前述の記載は本発明の単なる例示であることは、理解されるべきである。様々な代替および改良が、本発明から逸脱することなく当業者によって考え出され得る。したがって、本発明は、添付の請求項の範囲内にあるすべてのこのような代替、改良、および変形を包含するように意図されている。
【符号の説明】
【００３４】
400  システム
415  刃
420  詰まり除去弁
425  制御コンソール
430  カートリッジ
435  圧力調整装置
440  ソレノイド弁
445  吸引回路
450  吸引キャニスタ
455  ポンプ
475  デバイス回路
480  詰まり除去回路
500  Oリング
505  筐体
510  スプール
515  孔
520  バネ
530  交差孔
600  取っ手
610  スイッチ
620  足スイッチ
630  潅注回路
640  潅注供給源
650  蠕動ポンプ
660  動力回路
700  詰まり除去弁
710  本体
720  孔
750  フラッパ弁
【図１】
2020116386.tif 000003
【図２】
2020116386.tif 000004
【図３】
2020116386.tif 000005
【図４】
2020116386.tif 000006
【図５Ａ】
2020116386.tif 000007
【図５Ｂ】
2020116386.tif 000008
【図６】
2020116386.tif 000009
【図７Ａ】
2020116386.tif 000010
【図７Ｂ】
2020116386.tif 000011
【外国語明細書】
2020116386000001.pdf